(57)【特許請求の範囲】
【請求項１】
角度目盛を付した半円形状にして、且つ薄板状の分度板の中心部に、副尺を支軸により回転可能に軸着せしめたプロトラクタにおいて、
前記分度板の円弧端縁部に１０°単位で０°〜１８０°と１８０°〜０°範囲の角度目盛を振り分け刻印し、前記副尺の先端部に、１°単位の副尺目盛を、前記副尺目盛の中央に基線を設け、且つ前記基線の左側方部と右側方部に振り分け刻印せしめ、前記基線の下方部に、前記基線と同軸とする仕切線を設け、且つ前記仕切線に直角状に指示する指示線の直下部に、下段目盛の文字と上段目盛の文字を付記せしめ、前記分度板の角度目盛と所定の角度で回転せしめた前記副尺の副尺目盛が一致した位置にて、前記分度板の１０°単位の角度目盛と、前記副尺の１°単位の角度値の副尺目盛を読み取ることを特徴とする副尺目盛付きプロトラクタ。
【請求項２】
前記副尺の基線が、前記基線の副尺目盛の頭部に０数字を付し、且つ前記基線の左側方部と右側方部に刻印された夫々５°を表示する副尺目盛の頭部に夫々５の数字を付することを特徴とする請求項１に記載の副尺目盛付きプロトラクタ。
【請求項３】
前記分度板の角度目盛が、前記角度目盛の上方部に付した０°〜１８０°と、１８０°〜０°の２段併記の角度目盛を表示した数字とすることを特徴とする請求項１又は２に記載の副尺目盛付きプロトラクタ。
【請求項４】
前記２段併記の角度目盛を表示した数字が、上段数字を一色に色付けされ、他方の下段数字の色付けは前記上段数字の色彩と異なることを特徴とする請求項１又は２又は３に記載の副尺目盛付きプロトラクタ。
【請求項５】
前記副尺目盛を付した副尺の先端部の長さが、前記分度板の角度目盛の一部分と重合する長さとすることを特徴とする請求項１又は２又は３又は４に記載の副尺目盛付きプロトラクタ。
【発明の詳細な説明】
【技術分野】
【０００１】
本発明は、副尺目盛付きプロトラクタに係り、さらに言えば、半円状分度板に１０°単位で０°〜１８０°の範囲の角度目盛を刻印し、前記分度板の中心部に軸着せしめた副尺の先端部に１°単位にして、しかも中央に基線を設け、該基線の左右両側方部に振り分け刻印せしめた副尺目盛を設け、前記分度板の角度目盛と副尺の副尺目盛が一致した位置にて、前記１０°単位の角度目盛と副尺の１°単位の角度値の副尺目盛を読みとるようにした副尺目盛付きプロトラクタの技術分野に関するものである。
【背景技術】
【０００２】
従来プロトラクタとして、例えば下記特許文献１（実開平１−１８０６０２号公報）が公知である。
【０００３】
このプロトラクタを構成するベース１に設けられている分度目盛３、４は、５°及び２°間隔で表示され、さらに前記ベース１に軸６にて軸着する回動竿５の先端部に設けられた１本の指示線８を介して角度測定値を読みとる手法であった。そのため、この回動竿５の１本の指示線８から、鈍角及び鋭角を同時にして、しかも簡単且つ迅速に読み取ることが極めて困難であった。
【先行技術文献】
【特許文献】
【０００４】
【特許文献１】実開平１−１８０６０２号公報
【発明の概要】
【発明が解決しようとする課題】
【０００５】
本発明は、前記した特許文献１（プロトラクタ）を構成する半円状ベース１（分度板）及び回動竿５と全く異なった構成として、半円状分度板の端縁部に１０°単位で、０°〜１８０°と１８０°〜０°と２段併記し、他方前記分度板の中心部に軸着せしめた副尺の先端部に、１°単位の副尺目盛を設け、且つ中央に基線を設け、この基線の左側方部と右側方部に前記副尺目盛を振り分けた副尺を設け、前記分度板に対し所定の角度で回転した前記副尺の副尺目盛と、前記分度板の角度目盛とが一致した位置にて、前記分度板の１０°単位の角度目盛と、前記副尺の１°単位の角度値の副尺目盛を読み取ることによって、鈍角と鋭角を同時に簡単にして、且つ迅速に角度測定を行うことができると云う課題を解決したものである。
【０００６】
さらに本発明は、分度板の角度目盛の０°〜１８０°と１８０°〜０°の角度目盛を表示した数字を２段併記にすることによって、鈍角と鋭角の角度測定を前記副尺と併せて極めて簡単にして、且つ迅速に角度測定をすることができると云う課題を解決せしめた。
【０００７】
本発明は、また２段併記の角度目盛を表示した数字の色付けを異にして、前記分度板の１０°単位の角度目盛と、前記副尺の１°単位の角度値の副尺目盛を併せることによって、極めて簡単にして且つ迅速に読み取ることができると云う課題を解決したものである。
【０００８】
加えて本発明は、前記副尺の先端部の長さを、前記分度板の角度目盛の一部分と重合せしめ程度に形成せしめて、前記分度板の１０°単位の角度目盛と、前記副尺の１°単位の角度値の副尺目盛を併せることによって、極めて簡単にして且つ迅速に読み取ることができると云う課題を解決したものである。
【０００９】
また本発明は、前記副尺の先端部に付された副尺目盛の中央に設けた基線の下方部に、前記基線と同軸とする仕切線を設け、且つ前記仕切線に直角状に指示する指示線の直下部に、下段目盛の文字と上段目盛の文字を付記せしめるようにしたので、前記分度板の１０°単位の角度目盛と、前記副尺の１°単位の角度値の副尺目盛を併せることによって、極めて簡単にして且つ迅速に読み取ることができると云う課題を解決したものである。
【００１０】
本発明は、前記副尺の基線が、前記基線の副尺目盛の頭部に０数字を付し、且つ前記基線の左側方部と右側方部に刻印された夫々５°を表示する副尺目盛の頭部に夫々５の数字を付すようにして、前記分度板の１０°単位の角度目盛と、前記副尺の１°単位の角度値の副尺目盛を併せることによって、鈍角と鋭角を同時に簡単にして、且つ迅速に角度測定を行うことができるようにして課題を解決したものである。
【課題を解決するための手段】
【００１１】
課題を解決するための手段として、請求項１に記載の発明は、角度目盛１を付した半円形状にして、且つ薄板状の分度板ａの中心部に、副尺ｂを支軸ｃにより回転可能に軸着せしめたプロトラクタにおいて、前記分度板ａの円弧端縁部１ａに１０°単位で０°〜１８０°と１８０°〜０°範囲の角度目盛１を振り分け刻印し、前記副尺ｂの先端部３に、１°単位の副尺目盛４を、前記副尺目盛４の中央に基線５を設け、且つ前記基線５の左側方部６と右側方部７に振り分け刻印せしめ、前記基線５の下方部に、前記基線５と同軸とする仕切線８を設け、且つ前記仕切線８に直角状に指示する指示線９、１０の直下部に、下段目盛の文字と上段目盛の文字を付記せしめ、前記分度板ａの角度目盛１と所定の角度で回転せしめた前記副尺ｂの副尺目盛４が一致した位置にて、前記分度板ａの１０°単位の角度目盛１と、前記副尺ｂの１°単位の角度値の副尺目盛４を読み取ることを特徴とする副尺目盛付きプロトラクタである。
【００１２】
課題を解決するための手段として、請求項２に記載の発明は、前記副尺ｂの基線５が、前記基線５の副尺目盛４の頭部に０数字を付し、且つ前記基線５の左側方部６と右側方部７に刻印された夫々５°を表示する副尺目盛４の頭部に夫々５の数字を付することを特徴とする請求項１に記載の副尺目盛付きプロトラクタである。
【００１３】
課題を解決するための手段として、請求項３に記載の発明は、前記分度板ａの角度目盛１が、前記角度目盛１の上方部に付した０°〜１８０°と、１８０°〜０°の２段併記の角度目盛を表示した数字とすることを特徴とする請求項１又は２に記載の副尺目盛付きプロトラクタである。
【００１４】
課題を解決するための手段として、請求項４に記載の発明は、前記２段併記の角度目盛１を表示した数字が、上段数字を一色に色付けされ、他方の下段数字の色付けは前記上段数字の色彩と異なることを特徴とする請求項１又は２又は３に記載の副尺目盛付きプロトラクタである。
【００１５】
課題を解決するための手段として、請求項５に記載の発明は、前記副尺目盛４を付した副尺ｂの先端部３の長さが、前記分度板ａの角度目盛１の一部分と重合する長さとすることを特徴とする請求項１又は２又は３又は４に記載の副尺目盛付きプロトラクタである。
【発明の効果】
【００１６】
本発明は、前述のとおり分度板に刻印せしめた鈍角と鋭角を表示した角度目盛を、１０°単位の０°〜１８０°と１８０°〜０°の範囲とし、他方前記分度板の中心部に支軸により回転可能に軸着せしめた副尺の先端部に、１°単位の副尺目盛を設け、且つ中央に基線を設け、前記基線の左側方部と右側方部に振り分け刻印せしめ、前記分度板の角度目盛と所定の角度で回転せしめた前記副尺の副尺目盛が一致した位置にて、前記分度板の１０°単位の角度目盛と、前記副尺の１°単位の角度値の副尺目盛を読み取るようにしたので、従来のプロトラクタと異なり、鈍角と鋭角を同時に簡単且つ迅速に読み取ることができる利点がある。
【００１７】
さらに、本発明は、前記分度板の角度目盛を、前記角度目盛の上方部に付した０°〜１８０°と、１８０°〜０°の２段併記の角度目盛を表示した数字と、前記２段併記の角度目盛を表示した数字中、上段数字を一色に色付けされ、他方の下段数字の色付けは前記上段数字の色彩と異なるようにしたので、角度測定作業が極めて仕易くなった利点がある。
【００１８】
また、前記副尺目盛を付した副尺の先端部の長さを、前記分度板の角度目盛の一部分と重合する長さにしたので、前記同様に測定値の読み取り作業が仕易くなった利点がある。
【００１９】
加えて本発明は、前記副尺の先端部に付された副尺目盛の中央に設けた基線の下方部に、前記基線と同軸とする仕切線を設け、且つ前記仕切線に直角状に指示する指示線の直下部に、下段目盛の文字と上段目盛の文字を付記せしめたので、鈍角と鋭角の測定作業が仕易くなった。
【００２０】
さらに、前記副尺の基線の頭部に０数字を付し、且つ前記基線の左側方部と右側方部に刻印された夫々５°を表示する副尺目盛の頭部に夫々５の数字を付したので、鈍角と鋭角の測定作業が極めて仕易くなった利点がある。
【図面の簡単な説明】
【００２１】
【図１】本発明副尺目盛付きプロトラクタの正面図である。
【００２２】
【図２】同プロトラクタを構成する分度板と副尺の一部切欠拡大正面図である。
【００２３】
【図３】同プロトラクタの測定作業前の正面図である。
【００２４】
【図４】同図３のプロトラクタの背面図である。
【００２５】
【図５】同プロトラクタの平面図である。
【００２６】
【図６】同プロトラクタの底面図である。
【００２７】
【図７】同プロトラクタの左側面図である。
【００２８】
【図８】同プロトラクタの右側面図である。
【発明を実施するための最良の形態】
【００２９】
本発明の副尺目盛付きプロトラクタの好適な実施形態を、以下図面にしたがって説明する。
【００３０】
図において、ａは角度目盛１を付した半円形状にして、且つ薄板状の分度板である。  
【００３１】
この分度板ａの実施例とする角度目盛１は、該分度板ａの円弧端縁部１ａに、１０°単位で左側方から右側方に０°〜１８０°の角度目盛１を下段数字とし、さらに前記角度目盛１の上段に左側方から右側方に、前記とは逆に１０°単位で１８０°〜０°の上段数字と２段併記とする。
【００３２】
図においてｂは、前記分度板ａの中心部に、支軸ｃにより回転可能に軸着せしめたプロトラクタを構成する副尺である。
【００３３】
該副尺ｂは、先端部３に、１°単位の副尺目盛４を前記先端部３より支軸ｃの方向にして、且つ平行状に所定の長さだけ延設せしめるものである。そして該副尺目盛４の中央に基線５を設ける。そして１°単位の副尺目盛４は、該基線５の左側方部６と右側方部７に夫々９本の副尺目盛４が振り分け刻印されている。
【００３４】
さらに前記基線５は、前記分度板ａの底辺部１ｂと前記副尺ｂの下辺部２ｂとが、支軸ｃによって、図３、４に図示されているように同一線上に合致せしめられている。
【００３５】
さらに前記のように同一線上に合致するとき、前記分度板ａに角度目盛１に付された０°の角度目盛１と、前記副尺ｂの副尺目盛４の０°の数字を表示せしめた基線５と合致するように形成されている。
【００３６】
さらに前記副尺ｂの副尺目盛４は、基線５から左側方部６と右側方部７に振り分け刻印せしめた５本目の副尺目盛４の頭部に、夫々「５」の数字を付記せしめるものである。
【００３７】
また前記副尺ｂの先端部３の長さは、前記分度板ａの角度目盛１の一部分と重合するように形成されている。
【００３８】
前記副尺ｂの先端部３に付された副尺目盛４の中央に設けた基線５の下方部には、前記基線５と同軸とする仕切線８を設け、且つ前記仕切線８に直角状に指示する指示線９、１０の直下部に、下段目盛の文字と上段目盛の文字を付記せしめる。
【００３９】
２ａは前記副尺ｂを構成する上辺部である。
【００４０】
２は、前記副尺ｂの上辺部２ａと下辺部２ｂに付記せしめた階段状の長さ測定目盛である。
【００４１】
前記支軸ｃは、ボルト１１と調整ナット１２とより構成され、前記調整ナット１２を弛緩したり、あるいは締め付けたりして、分度板ａとの角度測定を行うものである。
【００４２】
（使用方法）
本発明の副尺目盛付きプロトラクタの使用方法について説明すると以下のとおりである。
【００４３】
図３の使用前の状態から図１、２の状態に副尺ｂが分度板ａに対し角度測定のため傾斜したとして説明する。
【００４４】
前記のように傾斜したとして、鋭角測定値を求めるときは、分度板ａの角度目盛１と副尺ｂの０が付された基線５の左側方部６に振り分けられた角度値の副尺目盛４を見て読み取るようにする。
【００４５】
すなわち、図２から分度板ａの角度目盛１の１０を指示する副尺ｂの副尺目盛４と基線５との間の副尺目盛４の８°を加算し、鋭角１８°を読み取ることができる。
【００４６】
さらに図２の状態から鈍角の角度値を求めるときは、上段目盛である基線５（０を表示する）から副尺目盛４との間の２°を加算して、１６２°を読み取る。従って、鈍角の角度値を極めて簡単に読み取ることができる。
【符号の説明】
【００４７】
ａ        分度板
ｂ        副尺
ｃ        支軸
１        角度目盛
１ａ      円弧端縁部
２        長さ測定目盛
２ａ      上辺部
２ｂ      下辺部
３        先端部
４        副尺目盛
５        基線
６        左側方部
７        右側方部
８        仕切線
９        指示線
１０      指示線
１１      ボルト
１２      調整ナット
【要約】
【課題】鈍角と鋭角を同時に簡単にして、且つ迅速に角度測定を行うことができる副尺目盛付きプロトラクタを提供する。
【解決手段】角度目盛１を付した半円形状にし、薄板状の分度板ａの中心部に、副尺ｂを支軸ｃにより回転可能に軸着した。分度板ａの円弧端縁部１ａに１０°単位で０°〜１８０°と１８０°〜０°範囲の角度目盛１を振り分け刻印し、副尺ｂの先端部３に、１°単位の副尺目盛４を、副尺目盛４の中央に基線５を設け、基線５の左側方部６と右側方部７に振り分け刻印し、分度板ａの角度目盛１と所定の角度で回転した副尺ｂの副尺目盛４が一致した位置で、分度板ａの１０°単位の角度目盛１と、副尺ｂの１°単位の角度値の副尺目盛４を読み取る。
【選択図】    図１【図１】
0006032453.tif 000002
【図２】
0006032453.tif 000003
【図３】
0006032453.tif 000004
【図４】
0006032453.tif 000005
【図５】
0006032453.tif 000006
【図６】
0006032453.tif 000007
【図７】
0006032453.tif 000008
【図８】
0006032453.tif 000009